(57)【要約】【課題】  コストを削減することができるとともに、十分な強度と、良好な外観品位を備えるストラップ取り付け構造を備えた電子機器を提供する。【解決手段】  ストラップ取り付け部が形成される外装カバーと、熱が発生する電気素子が実装される回路基板と、前記回路基板が固定されるとともに、前記電気素子の熱が伝えられるシャーシ部材と、を有し、前記シャーシ部材は金属材料で形成されるものであって、前記シャーシ部材には、前記ストラップ取り付け部と重なることで、前記ストラップ取り付け部を補強する補強部が形成され、前記補強部は、前記ストラップ取り付け部の内部で露出するように配置される。【選択図】  図１
2013044780.tif 000002
【特許請求の範囲】
【請求項１】
ストラップ取り付け部が形成される外装カバーと、
熱が発生する電気素子が実装される回路基板と、
前記回路基板が固定されるとともに、前記電気素子の熱が伝えられるシャーシ部材と、を有し、
前記シャーシ部材は金属材料で形成されるものであって、
前記シャーシ部材には、前記ストラップ取り付け部と重なることで、前記ストラップ取り付け部を補強する補強部が形成され、
前記補強部は、前記ストラップ取り付け部の内部で露出するように配置されることを特徴とする電子機器。
【請求項２】
前記シャーシ部材には、電池を収納する電池収納室が固定され、
前記電池収納室には、前記補強部と対向するストラップ受け部が形成されることを特徴とする請求項１に記載の電子機器。
【請求項３】
前記ストラップ取り付け部には、前記補強部の端面を覆うリブが形成されることを特徴とする請求項１または２に記載の電子機器。
【請求項４】
前記シャーシ部材は板状の金属材料を打ち抜いて形成されるものであって、前記ストラップ取り付け部に取り付けられるストラップ紐が接触する前記補強部の端面がバリ面となるように、前記シャーシ部材が形成され、
前記バリ面には、面取り加工が施されることを特徴とする請求項１ないし３のいずれか１項に記載の電子機器。
【請求項５】
前記シャーシ部材は板状の金属材料を打ち抜いて形成されるものであって、前記ストラップ取り付け部に取り付けられるストラップ紐が接触する前記補強部の端面がダレ面となるように、前記シャーシ部材が形成されることを特徴とする請求項１ないし３のいずれか１項に記載の電子機器。
【請求項６】
前記外装カバーは前記シャーシに少なくとも２箇所で固定され、前記補強部は前記シャーシ部材の先端を曲げることで形成され、前記外装カバーと前記シャーシ部材との固定箇所を結ぶ線上に、前記補強部の先端部分を配置し、前記外装カバーは前記シャーシに固定することを特徴とする請求項１ないし５のいずれか１項に記載の電子機器。
【請求項７】
外装カバーと、
熱が発生する電気素子が実装される回路基板と、
前記回路基板が固定されるとともに、前記電気素子の熱が伝えられるシャーシ部材と、を有し、
前記シャーシ部材は板状の金属材料を打ち抜いて形成されるものであって、
前記シャーシ部材には、前記外装カバーから露出するストラップ取り付け部が形成され、
前記ストラップ取り付け部に取り付けられるストラップ紐が接触する前記ストラップ取り付け部の端面には、面取り加工が施されることを特徴とする電子機器。
【発明の詳細な説明】
【技術分野】
【０００１】
本発明は、ストラップ取り付け構造を備えた電子機器に関するものである。
【背景技術】
【０００２】
デジタルカメラ等、携帯することが可能な小型の電子機器においては、吊り下げ用のストラップ（紐）を取り付けることを可能にしたものが多くあり、ストラップを首や手首等にかけて携帯することにより、携帯性の向上や脱落防止に役立っている。  ストラップが取り付けられるストラップ取り付け部は、ストラップが引っ張られたとしても、十分な強度を備えてなければならない。
【０００３】
また、ストラップ取り付け部はデジタルカメラの外観となる部分であるので、見栄えの悪いストラップ取り付け部では、デジタルカメラの外観品位を低下させてしまう。
【０００４】
このような要求から、デジタルカメラにダイキャスト製のストラップ取り付け部を用いることが提案されている。（特許文献１参照）
【先行技術文献】
【特許文献】
【０００５】
【特許文献１】特開２００６−８４６５３号公報
【発明の概要】
【発明が解決しようとする課題】
【０００６】
しかしながら、ダイキャスト製のストラップ取り付け部は、製造コストが高くなるという課題がある。また、製造コストを低く抑えるために、樹脂材料でストラップ取り付け部を形成することも考えられるが、樹脂材料は機械的な強度が低く、十分な強度を得ることができないという課題がある。
【０００７】
このような課題に鑑みて、本発明は、コストを削減することができるとともに、十分な強度と、良好な外観品位を備えるストラップ取り付け構造を備えた電子機器を提供することにある。
【課題を解決するための手段】
【０００８】
上記目的を達成するために、本発明の電子機器は、ストラップ取り付け部が形成される外装カバーと、熱が発生する電気素子が実装される回路基板と、前記回路基板が固定されるとともに、前記電気素子の熱が伝えられるシャーシ部材と、を有し、前記シャーシ部材は金属材料で形成されるものであって、前記シャーシ部材には、前記ストラップ取り付け部と重なることで、前記ストラップ取り付け部を補強する補強部が形成され、前記補強部は、前記ストラップ取り付け部の内部で露出するように配置されることを特徴としている。
【発明の効果】
【０００９】
本発明によれば、コストを削減することができるとともに、十分な強度と、良好な外観品位を備えるストラップ取り付け構造を備えた電子機器を提供することができる。
【図面の簡単な説明】
【００１０】
【図１】デジタルカメラ１の内部構造を説明する図である。
【図２】デジタルカメラ１の外観斜視図である。
【図３】デジタルカメラ１の内部構造を説明する分解斜視図である。
【図４】デジタルカメラ１の内部構造を説明する分解斜視図である。
【図５】デジタルカメラ１の内部構造を説明する分解斜視図である。
【図６】ストラップ取り付け構造を説明する図である。
【図７】補強部１２ａの形状を説明する図である。
【図８】ストラップ取り付け部１１２ａの形状を説明する図である。
【発明を実施するための形態】
【００１１】
以下に、本発明の好ましい実施の形態を、添付の図面に基づいて詳細に説明する。
【００１２】
（第１の実施の形態）
図２は、本発明を実施した電子機器の第１の実施形態としてのデジタルカメラ１の外観斜視図である。図２（ａ）は、正面側から見たデジタルカメラ１の外観斜視図であり、図２（ｂ）は、背面側から見たデジタルカメラ１の外観斜視図である。
【００１３】
デジタルカメラ１には、被写体像を撮像素子に結像する撮影レンズ鏡筒２が固定されている。撮影レンズ鏡筒２は、デジタルカメラ１が非使用状態となるときには、図２（ａ）に図示するように、沈胴する沈胴式のズームレンズである。
【００１４】
撮影レンズ鏡筒２の後方には、光学像を光電変換して画像データを生成するＣＣＤやＣＭＯＳイメージセンサ等の撮像素子が配置されている。
またデジタルカメラ１には、撮像素子からの出力に対して画像処理を行う処理回路を実装した回路基板１４が配置されている。
【００１５】
図２（ａ）に図示するように、デジタルカメラ１の上方には、ストロボ発光窓３、レリーズボタン４、ズームレバー５、電源ボタン６が設けられている。レリーズボタン４は２段階の押圧操作が可能となっている。レリーズボタン４を１段目の押圧操作を行うことで、撮影準備動作（測光動作や測距動作等）が開始される。レリーズボタン４に２段目の押圧操作を行うことで、被写体を撮影し、記録媒体に被写体像の画像データを記録する。ズームレバー５はレリーズボタン４の外周に配置された回転操作型のレバーである。電源ボタン６は、押圧操作されることで、デジタルカメラ１を使用状態（撮影可能状態）と非使用状態（撮影不能状態）に切り換える。電源ボタン６によって使用状態に切り換えられるとき、沈胴している撮影レンズ鏡筒２が繰り出されて、デジタルカメラ１は撮影可能状態となる。
【００１６】
電源ボタン６とストロボ発光部３の間にデジタルカメラ１に内蔵したマイクに音声を取り込む一対のマイク穴１ａが設けられている。
【００１７】
図２（ａ）に図示するように、デジタルカメラ１の下方には、電池蓋７が設けられている。電池蓋７は、デジタルカメラ１の電源となる電池を収納する電池収納室および撮影された画像データを記録する記録媒体を収納する収納室を開閉する。
【００１８】
図２（ａ）に図示するように、デジタルカメラ１の側面には、電源や信号の入出力用ジャックが設けられ、ジャック保護用のカバー部材８が入出力用ジャックを覆っている。カバー部材８を開くことで、入出力用ジャックへの各種ケーブル類の抜き差しが可能となる。
【００１９】
図２（ｂ）に図示するように、デジタルカメラ１の背面には、表示モニタ９が設けられている。表示モニタ９の横には、複数の操作ボタン１０が設けられている。複数の操作ボタン１０中央に配置された十字ボタンは、上下左右４箇所と中央部１箇所に対して押し込み操作が可能となっている。
【００２０】
図２（ｂ）に図示するように、デジタルカメラ１の側面には、外装カバーとしての側面カバー２０が配置される。側面カバー２０には、ストラップ取り付け部２０ａが形成されている。側面カバー２０には、２つのストラップ通し孔２０ａａと２０ａｂが形成されている。
【００２１】
次に、デジタルカメラ１の内部構造について説明する。
【００２２】
図３は、デジタルカメラ１の内部構造を説明する分解斜視図である。
【００２３】
デジタルカメラ１は、フロントカバー３１およびリアカバー３２の２つの外装カバーで覆われている。フロントカバー３１およびリアカバー３２はともに金属材料で形成されている。
【００２４】
リアカバー３２の内部では、トップユニット３３がデジタルカメラ１の上方側に配置され、表示モニタ９がデジタルカメラ１の背面側に配置されている。図３は、表示モニタ９および操作フレキシブル基板１８を、シャーシ部材としてのメインシャーシ１２から取り外した状態を示している。操作フレキシブル基板１８は、リアカバー３２に取り付けられた複数の操作ボタン１０対応した位置にそれぞれ対応するスイッチが実装されている。
【００２５】
デジタルカメラ１の側面に設けられたジャック保護用のカバー部材８の内側には、樹脂材料で形成された側面カバー２０が配置される。側面カバー２０は４本の固定ビス４１〜４４によってメインシャーシ１２に固定される。側面カバー２０には、ストラップ取り付け部２０ａが一体的に形成されるとともに、操作ボタン２１、２２が取り付けられている。また、側面カバー２０には、回路基板１４に実装された入出力用ジャックが入り込む孔形状２０ｃおよび２０ｄが形成されている。
【００２６】
メインシャーシ１２には、側面カバー２０に形成されるストラップ取り付け部２０ａを補強する補強部１２ａが一体的に形成されている。補強部１２ａは、メインシャーシ１２の先端を湾曲させることで形成している。側面カバー２０をメインシャーシ１２に固定すると、メインシャーシ１２に形成される補強部１２ａが側面カバー２０に形成されるストラップ取り付け部２０ａの内側に位置して、ストラップ取り付け部２０ａを補強する。
【００２７】
メインシャーシ１２には、電池を収納している電池収納室１３がビスで固定されている。電池収納室１３には、２つのストラップ通し孔２０ａａと２０ａｂをつなぐストラップ受け部１３ａが形成されている。メインシャーシ１２に電池収納室１３を固定すると、補強部１２ａの内側にストラップ受け部１３ａが位置する。したがって、使用者がストラップ通し孔２０ａａにストラップ紐１７を挿入すると、ストラップ紐１７は、補強部１２ａとストラップ受け部１３ａとの間を通り抜けて、ストラップ通し孔２０ａｂから排出される。
【００２８】
したがって、ストラップ紐１７は、ストラップ取り付け部２０ａと補強部１２ａとが重なった部分に結び付けられる。すなわち、樹脂材料で形成されるストラップ取り付け部２０ａは金属材料で形成される補強部１２ａによって補強される。ストラップ紐１７が強い力で引っ張られたとしても、その力の大半は補強部１２ａが受ける力となるので、ストラップ取り付け部２０ａが破損することはない。
【００２９】
図１（ａ）は、デジタルカメラ１の中央断面図を示している。図１（ｂ）は図１（ａ）の左側部分を拡大したデジタルカメラ１の断面図である。
【００３０】
図１（ａ）に図示するように、デジタルカメラ１は、被写体像を撮像素子に結像する撮影レンズ鏡筒２が略中央に配置される。図１において、撮影レンズ鏡筒２の右側にはストロボ発光部３の一部であるメインコンデンサ３ｂが配置される。撮影レンズ鏡筒２の左側には、回路基板１４が配置されている。回路基板１４の背面側には、メモリカード等の記録媒体１５が装填されるカードスロット１４ａが実装されている。回路基板１４の左側には、カバー部材８が配置されている。回路基板１４は、メインシャーシ１２に固定されている。回路基板１４の背面には、電池１６が収納される電池収納室１３が配置される。電池収納室１３は、メインシャーシ１２に固定されている。デジタルカメラ１の背面の右側には表示モニタ９が配置され、表示モニタ９の左側には、複数の操作ボタン１０が配置されている。
【００３１】
図１（ｂ）に図示するように、メインシャーシ１２は、電池収納室１３と表示モニタ９との間に配置されている。メインシャーシ１２から湾曲状に突出して形成された補強部１２ａは、側面カバー２０に形成されるストラップ取り付け部２０ａの裏側に沿って配置されている。また、電池収納室１３の補強部１２ａと対向する部分には、ストラップ受け部１３ａが形成されている。図１（ｂ）に図示するように、補強部１２ａとストラップ受け部１３ａによって、空間１５が形成され、この空間１５にストラップ紐１７が取り付けられる。
【００３２】
メインシャーシ１２は、板状の金属材料を打ち抜いて、曲げ加工を施すことで形成されている。メインシャーシ１２の端部には打ち抜き加工によってバリ面とダレ面が存在する。補強部１２ａの端面のうち、ストラップ受け部１３ａに対向する側がバリ面となるように、メインシャーシ１２を打ち抜くと、空間１５にストラップ紐１７が取り付けたとき、補強部１２ａのストラップ紐１７が接触する面がバリ面となる。このときには、バリによってストラップ紐１７を損傷させることが想定される。
【００３３】
図６は、側面カバー２０のストラップ取り付け部２０ａ、メインシャーシ１２の補強部１２ａ、電池収納室１３のストラップ受け部１３ａで構成されるストラップ取り付け構造を説明する図である。図６（ａ）は、デジタルカメラ１の側面図であり、図６（ｂ）は、図６（ａ）におけるＡ−Ａ断面図である。図６（ｃ）は、図６（ｂ）の要部拡大図である。
【００３４】
図６（ｃ）に図示するように、本実施形態では、補強部１２ａの端面のうち、ストラップ受け部１３ａに対向する側がバリ面となるように、メインシャーシ１２を打ち抜いて、バリ面に面取り加工を施して、面取り加工部１２ａａを形成している。図６（ｃ）に図示するように、本実施形態では、側面カバー２０に形成されるストラップ取り付け部２０ａの両側から補強部１２ａの端面を覆うリブ２０ａｃを形成している。リブ２０ａｃが形成されることによって、補強部１２ａの端面がストラップ紐１７に接触せず、ストラップ紐１７の損傷を防止することができる。
【００３５】
また、補強部１２ａの端面のうち、ストラップ受け部１３ａに対向する側がダレ面となるように、メインシャーシ１２を打ち抜き加工すれば、面取り加工を省いたとしても、ストラップ紐１７の損傷を防止することができる。
【００３６】
このように構成することで、板状の金属材料を打ち抜いたメインシャーシ１２に補強部１２ａを形成したとしても、ストラップ紐１７の損傷を防止することができる。
【００３７】
図７は、補強部１２ａの形状を説明する図である。補強部１２ａは、メインシャーシ１２の先端を湾曲させることで形成している。メインシャーシ１２には、側面カバー２０を固定する固定ビス４２が螺合するビス穴１２ｄと、側面カバー２０を固定する固定ビス４３が螺合するビス穴１２ｅが形成されている。図７に図示されるように、ビス穴１２ｄとビス穴１２ｅとを結ぶ線上に、補強部１２ａの先端部分１２ａｂが位置するように、補強部１２ａは形成されている。すなわち、側面カバー２０とメインシャーシ１２との固定箇所を結ぶ線上に、補強部１２ａの先端部分１２ａｂを配置している。
【００３８】
これによって、側面カバー２０がメインシャーシ１２に固定されると、補強部１２ａに強い引っ張り力が作用しても、補強部１２ａの先端部分１２ａｂは側面カバー２０に押えられ、補強部１２ａの変形を防ぐことができる。
【００３９】
図４および図５は、デジタルカメラ１の内部構造を説明する分解斜視図である。図４および図５では、フロントカバー３１およびリアカバー３２を省略している。図４はデジタルカメラ１の前面側の分解斜視図であり、図５はデジタルカメラ１の背面側の分解斜視図である。
【００４０】
図４に図示するように、メインシャーシ１２には、電池収納室１３の上面から電池収納室１３の前面に回り込んだ基板固定部１２ｂおよび電池収納室１３の側面から電池収納室１３の前面に回り込んだ基板固定部１２ｃが一体的に形成される。固定ビス４５が回路基板１４のビス穴１４ｂを貫通して基板固定部１２ｂに螺合し、固定ビス４６が回路基板１４のビス穴１４ｃを貫通して基板固定部１２ｃに螺合することで、回路基板１４はメインシャーシ１２に固定される。このとき、メインシャーシ１２の基板固定部１２ｂ、１２ｃは回路基板１４のグランド電位部分と締結され、回路基板１４のグランド部分はメインシャーシ２５と電気的に接続されている。また、回路基板１４に実装される電気素子から発生する熱はメインシャーシ１２に伝えられる。
【００４１】
図５に図示するように、メインシャーシ１２は、撮影レンズ鏡筒２、ストロボ発光部３、電池収納室１３の背面側に配置される。撮影レンズ鏡筒２は、固定ビス４７、４８でメインシャーシ１２に固定される。電池収納室１３は固定ビス５０、５１でメインシャーシ１２に固定される。ストロボ発光部３は固定ビス４９でメインシャーシ１２に固定される。三脚座１９は固定ビス５３でメインシャーシ１２に固定される。
【００４２】
表示ユニット９には、爪片９ａが３箇所形成されている（２箇所は不図示）。３つの爪片９ａは、メインシャーシ１２の取付け部１２ｄ、１２ｅ、１２ｆにそれぞれ係合保持される。ている。表示ユニット９は、上下左右方向に若干量移動することができ、表示ユニット９の外形がリアカバー３２に形成された開口と嵌合することで、位置決めされる。
【００４３】
このようにして、メインシャーシ１２には、回路基板１４、撮影レンズ鏡筒２、表示ユニット９が固定される。回路基板１４に実装される電気素子から発生する熱、撮影レンズ鏡筒２に取り付けられている撮像素子の熱、表示ユニット９にて発生する熱は、メインシャーシ１２に伝えられる。
【００４４】
メインシャーシ１２は熱伝導率の高い金属材料で形成されており、メインシャーシ１２の補強部１２ａは、ストラップ取り付け部２０ａの内側でデジタルカメラ１の外部に露出して、外気に直接触れる。したがって、メインシャーシ１２に伝えられた様々な熱が補強部１２ａからデジタルカメラ１の外部に放熱することができる。つまり、メインシャーシ１２の一部である補強部１２ａが直接、外気に触れることによって、放熱することができるので、デジタルカメラ１内部の熱を効率よく放出することができる。
【００４５】
本実施形態では、機械的強度の高いメインシャーシ１２で形成された補強部１２ａがストラップ取り付け部２０ａを補強することができるので、機械的強度が低い樹脂材料でストラップ取り付け部２０ａを形成することができる。また、補強部１２ａがデジタルカメラ１の外観として露出することがないので、外観品位に与える影響も少ない。
【００４６】
したがって、例えば磨き加工を施した金属でストラップ取り付け部を形成する場合と比較して、コストを削減することができるとともに、十分な強度と、良好な外観品位を備えるストラップ取り付け部構造を実現することができる。
【００４７】
（第２の実施の形態）
第１の実施形態のデジタルカメラ１では、側面カバー２０に形成されるストラップ取り付け部２０ａの内側にメインシャーシ１２に形成される補強部１２ａを重ねることで、コストを削減しつつ、十分な強度と、良好な外観品位を実現していた。
【００４８】
これに対して、第２の実施形態では、デジタルカメラのメインシャーシ１１２に、外観となるストラップ取り付け部１１２ａを形成している。つまり、第１の実施形態における側面カバー２０に形成されるストラップ取り付け部２０ａが存在せず、メインシャーシ１１２の一部がデジタルカメラの外部に露出して、デジタルカメラの外観部分となる。これ以外の部分については、上述した第１の実施形態と同様であるので、説明を省略する。
【００４９】
図８は、第２の実施形態であるデジタルカメラのメインシャーシ１１２に形成されるストラップ取り付け部１１２ａの形状を説明する図である。
【００５０】
図８に図示するように、ストラップ取り付け部１１２ａの両端がメインシャーシ１１２に連結されている。また、ストラップ取り付け部１１２ａの端面には面取り加工が施されることで、板状の金属材料を打ち抜いたメインシャーシ１１２にストラップ取り付け部１１２ａを形成したとしても、ストラップ紐１７の損傷を防止することができる。さらに、ストラップ取り付け部１１２ａはデジタルカメラの外観となるので、バレル研磨加工が施される。
【００５１】
これによって、コストを削減しつつ、十分な強度と、良好な外観品位を実現することができる。
【００５２】
以上、本発明の好ましい実施形態について説明したが、本発明はこれらの実施形態に限定されず、その要旨の範囲内で種々の変形及び変更が可能である。
【符号の説明】
【００５３】
１２  メインシャーシ
１２ａ  補強部
１３  電池収納室
１４  回路基板
１７  ストラップ紐
２０  側面カバー
２０ａ  ストラップ取り付け部
【図１】
2013044780.tif 000003
【図２】
2013044780.tif 000004
【図３】
2013044780.tif 000005
【図４】
2013044780.tif 000006
【図５】
2013044780.tif 000007
【図６】
2013044780.tif 000008
【図７】
2013044780.tif 000009
【図８】
2013044780.tif 000010